(57)【要約】【課題】  液体が導電率センサを通過する際の液体の圧力損失を抑制する技術を提供する。【解決手段】  導電率センサ１０は、流路を流れる冷媒の導電率を検出する。導電率センサ１０は、液体の流れ方向Ｆに平行に配置される板状の電極２０と、流れ方向に平行に配置され、電極２０に隙間を有して対向する板状の電極３０と、電極２０と電極３０との隙間に電極２０及び電極３０から離間して配置されている絶縁体４０と、を備えている。電極２０は、絶縁体４０を挟んで電極３０と対向する第１対向領域と、絶縁体４０を挟まずに電極３０と対向する第２対向領域と、を有する。【選択図】  図２
2017003302.tif 000002
【特許請求の範囲】
【請求項１】
流路を流れる液体の導電率を検出する導電率センサであって、
前記液体の流れ方向に平行に配置される板状の第１電極と、
前記流れ方向に平行に配置され、前記第１電極に隙間を有して対向する板状の第２電極と、
前記第１電極と前記第２電極との前記隙間に前記第１電極及び前記第２電極から離間して配置される絶縁体と、を備え、
前記第１電極は、前記絶縁体を挟んで前記第２電極と対向する第１対向領域と、前記絶縁体を挟まずに前記第２電極と対向する第２対向領域と、を有する、
導電率センサ。
【請求項２】
前記第２対向領域の前記流れ方向に垂直な方向の長さは、前記第２対向領域の前記流れ方向の長さよりも長い、請求項１に記載の導電率センサ。
【請求項３】
絶縁材料で作製され、前記第１電極と前記第２電極と前記絶縁体とを保持するホルダを、さらに備える、請求項１又は２に記載の導電率センサ。
【請求項４】
前記ホルダは、前記第１電極の前記流れ方向に垂直な方向の一端と前記第２電極の前記流れ方向に垂直な方向の一端とを保持するとともに、前記第１電極の前記流れ方向に垂直な方向の他端と前記第２電極の前記流れ方向に垂直な方向の他端とを保持する、請求項３に記載の導電率センサ。
【請求項５】
前記ホルダは、前記流れ方向の上流端から下流端に貫通する第１連通路を有する、請求項３又は４に記載の導電率センサ。
【請求項６】
前記絶縁体は、前記流れ方向の上流端から下流端に貫通する第２連通路を有する、請求項５に記載の導電率センサ。
【請求項７】
前記ホルダは、制御回路を収容するための収容空間を画定し、
前記導電率センサは、さらに、
前記ホルダに保持されている温度検出部と、
前記温度検出部から前記収容空間まで延びる端子と、を備える、請求項３から６のいずれか一項に記載の導電率センサ。
【請求項８】
前記絶縁体は、前記流れ方向に平行に配置される平板形状を有する、請求項１から７のいずれか一項に記載の導電率センサ。
【発明の詳細な説明】
【技術分野】
【０００１】
本明細書で開示される技術は、流路を流れる液体の導電率を検出する導電率センサに関する。
【背景技術】
【０００２】
特許文献１には、流路を流れる液体の導電率を検出する導電率センサが開示されている。導電率センサは、隙間を有して互いに対向する２個の電極を備える。２個の電極のそれぞれの端面は、他方の電極の端面に対向する円筒形状を有している。流路は、互いに対向する２個の電極の一方の端面から垂直に他方の端面まで延びている。流路は、電極の端面に到達すると、屈曲して電極の外形に沿って延びる。
【先行技術文献】
【特許文献】
【０００３】
【特許文献１】特開平０１−５４３４３号公報
【発明の概要】
【発明が解決しようとする課題】
【０００４】
上記の技術では、流路は、２個の電極の互いに対向する端面に垂直に配置されている。このため、流路は、電極の端面に到達すると、電極を避けるように屈曲して大きく迂回しなければならず、液体の圧力損失が大きい。
【０００５】
本明細書では、液体が導電率センサを通過する際の液体の圧力損失を抑制する技術を提供する。
【課題を解決するための手段】
【０００６】
本明細書で開示される導電率センサは、流路を流れる液体の導電率を検出する導電率センサである。導電率センサは、液体の流れ方向に平行に配置される板状の第１電極と、流れ方向に平行に配置され、第１電極に隙間を有して対向する板状の第２電極と、第１電極と第２電極との隙間に第１電極及び第２電極から離間して配置される絶縁体と、を備えている。第１電極は、絶縁体を挟んで第２電極と対向する第１対向領域と、絶縁体を挟まずに第２電極と対向する第２対向領域と、を有する。
【０００７】
上記の導電率センサでは、導電率を検出するための第１電極及び第２電極が流れ方向に平行な板状を有する。この構成によれば、電極の流れ方向に垂直な方向の面積を抑えることができる。この結果、電極によって流路が大きく迂回されることを抑制することができる。これにより、液体の圧力損失を抑制することができる。
【図面の簡単な説明】
【０００８】
【図１】燃料電池の冷却システムの概略図を示す。
【図２】導電率センサの縦断面図を示す。
【図３】図２におけるIII−III断面を示す断面図を示す。
【図４】図２におけるIV−IV面を示す断面図を示す。
【図５】第２実施例の導電率センサの縦断面図を示す。
【図６】第３実施例の導電率センサの縦断面図を示す。
【図７】第３実施例の変形例の導電率センサの縦断面図を示す。
【図８】第３実施例の変形例の導電率センサの縦断面図を示す。
【図９】第３実施例の変形例の導電率センサの縦断面図を示す。
【図１０】第４実施例の導電率センサの縦断面図を示す。
【図１１】変形例の導電率センサの縦断面図を示す。
【図１２】変形例の導電率センサの縦断面図を示す。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）本明細書で開示される導電率センサにおいては、第２対向領域の流れ方向に垂直な方向の長さは、第２対向領域の流れ方向の長さよりも長くしてもよい。流路を構成する配管等の抵抗によって、流路内では、配管側の液体の流速が最も遅く、配管から流れ方向に垂直な方向に離間するのに従って、液体の流速は速くなる。流路を流れる液体と異なる導電率を有する液体が、新たに流路に追加されると、流路内の流速分布によって、流れ方向に垂直な方向の既存の液体と新たに追加された液体との境界は、流路の中央部で最も上流側に位置し、中央部から端部に向かって下流側に傾斜する。第２対向領域の流れ方向に垂直な方向の長さを長くすることで、電極が既存の液体と新たな液体の双方に接触した状態で液体の導電率を検出することができる。これにより、導電率センサで検出される導電率と流路内の導電率との誤差を抑制することができる。
【００１１】
（特徴２）本明細書で開示される導電率センサにおいては、絶縁材料で作製され、第１電極と第２電極と絶縁体とを保持するホルダを備えていてもよい。この構成によると、ホルダによって、第１電極と第２電極と絶縁体の相互の位置関係を規定することができる。
【００１２】
（特徴３）本明細書で開示される導電率センサにおいては、ホルダは、第１電極の流れ方向に垂直な方向の一端と第２電極の流れ方向に垂直な方向の一端とを保持するとともに、第１電極の流れ方向に垂直な方向の他端と第２電極の流れ方向に垂直な方向の他端とを保持してもよい。この構成では、第１電極と第２電極とは、流れ方向に垂直な方向の両端で保持される。このため、第１電極と第２電極の一端のみを保持する場合と比較して、第１電極と第２電極の位置関係を維持することができる。
【００１３】
（特徴４）本明細書で開示される導電率センサにおいては、ホルダは、流れ方向の上流端から下流端を貫通する第１連通路を有していてもよい。この構成によると、ホルダによって液体が大きく迂回されることを抑制することができる。これにより、液体の圧力損失を抑制することができる。
【００１４】
（特徴５）本明細書で開示される導電率センサにおいては、絶縁体は、流れ方向の上流端から下流端を貫通する第２連通路を有していてもよい。この構成によると、絶縁体によって液体が大きく迂回されることを抑制することができる。これにより、液体の圧力損失を抑制することができる。
【００１５】
（特徴６）本明細書で開示される導電率センサにおいては、ホルダは、制御回路を収容するための収容空間を画定してもよい。導電率センサは、絶縁体の連通路に配置されている温度検出部と、温度検出部から収容空間まで延びる端子と、を有していてもよい。この構成によると、液体の温度を検出する装置を、導電率センサ外に取付けずに済む。
【００１６】
（特徴７）本明細書で開示される導電率センサにおいては、絶縁体は、液体の流れ方向に平行に配置される平板形状を有していてもよい。この構成によると、絶縁体によって液体が大きく迂回されることを抑制することができる。これにより、液体の圧力損失を抑制することができる。
【実施例】
【００１７】
（第１実施例）
図面を参照して実施例の導電率センサ１０を説明する。図１に示すように、導電率センサ１０は、燃料電池９２とモータ（図示省略）とが搭載された燃料電池自動車に搭載される。導電率センサ１０は、燃料電池９２を冷却するための冷却システム１に配置され、冷媒の導電率を検出する。
【００１８】
冷却システム１では、タンク９６に貯留される冷媒が、ポンプ９８によって配管７０内の流路を循環する。配管７０を流れる冷媒は、燃料電池９２を通過して、燃料電池９２を冷却する。冷媒は、流路上の熱交換器９４内を流れている間に冷却される。制御装置１００は、導電率センサ１０によって検出される冷媒の導電率に応じて三方弁８８を制御し、配管７０と除去装置９０とを連通する状態と遮断する状態とを切り替える。通常では、三方弁８８は、配管７０と除去装置９０とを遮断する状態に維持される。三方弁８８が配管７０と除去装置９０とを連通する状態に切り替えられると、冷媒が除去装置９０を通過する。これにより、配管７０中の冷媒に含まれる不純物（例えばイオン物質）が除去される。
【００１９】
冷媒には、配管７０等の経路上の各部から出る不純物（例えばイオン物質）が混入する場合がある。冷媒に不純物が混入すると、冷媒の導電率が上昇する。冷媒が循環経路から漏出する状況を考慮して、冷媒の導電率が上昇することを抑制することが好ましい。冷媒を除去装置９０に通過させることによって、冷媒中の不純物を除去し、冷媒の導電率を低下させることができる。制御装置１００は、導電率センサ１０で検出される冷媒の導電率が閾値を超える場合に、三方弁８８を配管７０と除去装置９０とを連通する状態に切り替える。これにより、配管７０内の冷媒の導電率が閾値を超えないように管理される。また、制御装置１００は、ポンプ９８を作動し、配管７０内を流れる冷媒の流量を調整する。
【００２０】
図２は、導電率センサ１０の縦断面図であり、配管７０内の冷媒の流れ方向（図２の紙面に垂直方向）に垂直であり、導電率センサ１０の流れ方向の中央に位置する断面を示す断面図である。導電率センサ１０は、配管７０の上端に配置され、配管７０の上端から配管７０内に挿入して配置されている。導電率センサ１０は、２個の電極２０，３０と、絶縁体４０と、ホルダ５０と、サーミスタ６０と、を備えている。
【００２１】
電極２０，３０は、導電性を有する金属製であり、平板状である。図３に示すように、電極２０，３０は、配管７０を流れる冷媒の流れ方向Ｆに対して、平行に配置される。電極３０は、電極２０と隙間を有して対向している。電極２０，３０は、同一形状であり、互いに平行である。
【００２２】
図２に示すように、絶縁体４０は、絶縁性の樹脂で作製されており、平板状である。絶縁体４０は、電極２０と電極３０との隙間の中央に配置されている。絶縁体４０は、電極２０と電極３０とのそれぞれから離間して配置される。絶縁体４０は、流れ方向Ｆに対して平行に配置される。即ち、絶縁体４０は、電極２０，３０と平行である。絶縁体４０は、絶縁体４０の中央に収容空間４２を画定する。収容空間４２は、絶縁体４０によって、配管７０内と遮断されている。
【００２３】
流れ方向Ｆにおいて、絶縁体４０の下流端は、電極２０，３０の下流端と同一の位置に配置されている。絶縁体４０の流れ方向Ｆの長さは、電極２０及び電極３０に対して短い。このため、流れ方向Ｆにおいて、絶縁体４０の上流端は、電極２０，３０の上流端よりも下流側に位置する。この構成では、電極２０は、絶縁体４０を挟んで電極３０と対向する対向領域２２と、絶縁体４０を挟まずに電極３０と直接的に対向する対向領域２４を有する。対向領域２４は、対向領域２２の上流側に位置する。
【００２４】
図３、図４から明らかに、対向領域２２では、全面に亘って絶縁体４０を挟んで電極３０と対向している。一方、対向領域２４では、全面に亘って絶縁体４０を挟まずに電極３０と対向している。対向領域２４の配管７０を流れる冷媒の流れる方向に垂直な方向の長さＬ１は、対向領域２４の配管７０を流れる冷媒の流れる方向の長さＬ２よりも長い。
【００２５】
図２に示すように、電極２０，３０は、ホルダ５０に保持されている。ホルダ５０は、絶縁体４０と一体的に樹脂で形成されている。ホルダ５０は、配管７０の上端部に配置されている。ホルダ５０は、上方部分５０ａと下方部分５０ｂとを備える。上方部分５０ａは、配管７０の上端の貫通孔にＯリングを介して嵌合されている。上方部分５０ａは、電極２０，３０の上端２０ａ，３０ａを保持する。また、上方部分５０ａは、絶縁体４０の上端４０ａに連結され、絶縁体４０を保持する。上方部分５０ａには、収容空間４２に連続する空間５２が画定されている。空間５２は、上方部分５０ａに囲まれており、配管７０内と遮断されている。即ち、絶縁体４０及び上方部分５０ａによって、収容空間４２及び空間５２に、配管７０を流れる冷媒が流入することが防止されている。下方部分５０ｂは、上方部分５０ａの下方に配置されている。下方部分５０ｂは、絶縁体４０の下端４０ｂに連結されている。即ち、下方部分５０ｂは、絶縁体４０によって上方部分５０ａと一体的に連結されている。下方部分５０ｂは、電極２０，３０の下端２０ｂ，３０ｂを保持する。
【００２６】
ホルダ５０は、電極２０，３０の上下端２０ａ，３０ａ，２０ｂ，３０ｂを保持している。このため、電極２０，３０は、ホルダ５０によって互いに位置決めをすることができる。また、絶縁体４０は、ホルダ５０に一体的に形成されているため、ホルダ５０によって位置決めされる電極２０，３０に対して適切に位置することができる。
【００２７】
収容空間４２には、サーミスタ６０が収容される。サーミスタ６０は、収容空間４２内の温度を検出することによって、配管７０内の冷媒の温度を検出する。なお、収容空間４２は、樹脂で充填されており、サーミスタ６０が樹脂で覆われていてもよい。
【００２８】
電極２０，３０及びサーミスタ６０は、それぞれ、端子２１，３１，６１を介して制御回路８０に接続されている。制御回路８０は、ホルダ５０の上方部分５０ａが上端に画定している収容空間８２に収容されている。収容空間８２は、樹脂で充填されている。これにより、制御回路８０が保護されている。
【００２９】
次に、導電率センサ１０の動作について説明する。車両が駆動している間、冷却システム１は、配管７０内の流路に冷媒を循環させ、燃料電池９２を冷却する。制御回路８０は、車両が駆動している間、流路を流れる冷媒の導電率を検出する。具体的には、制御回路８０は、バッテリから供給される直流電力を変換し、端子２１，３１を介して、電極２０，３０に交流電圧を供給して、電流を測定する。測定される電流は、電極２０，３０間のインピーダンスＺに応じて変化する。
【００３０】
電極２０，３０に電力が供給されると、対向領域２４と対向領域２４に対向する第２電極の対向領域２５との間に電流が流れる。さらに、電極２０，３０に電力が供給されると、電極２０，３０のそれぞれの表面上に、冷媒に含まれるイオンが引き寄せられ、電極２０，３０のそれぞれに静電容量が発生する。例えば、電極２０から電極３０に電流が流れている状況では、電極２０の表面に冷媒内のマイナスイオンが引き寄せられる一方、電極３０の表面に冷媒内のプラスイオンが引き寄せられる。この結果、電極２０，３０のそれぞれに静電容量が発生する。このことから、電極２０，３０間のインピーダンスＺの大きさ｜Ｚ｜は、対向領域２４と対向領域２５との間に抵抗Ｒと、電極２０，３０の静電容量の合計Ｃ（＝（Ｃ１＋Ｃ２）／Ｃ１・Ｃ２）（但し、Ｃ１は、電極２０の静電容量、Ｃ２は電極３０の静電容量）と、を用いて、以下の数式で表される。
【００３１】
【数１】
2017003302.tif 000003
【００３２】
ここで、抵抗Ｒは、冷媒の導電率Ｊと、定数の対向領域２４の面積Ｓ及び対向領域２４，２５間の距離Ｌを用いて、以下の数式で表すことができる。
【００３３】
【数２】
2017003302.tif 000004
【００３４】
また、静電容量Ｃは、冷媒の誘電率と、電極２０，３０の面積及び距離に応じて変化する一方、冷媒の導電率Ｊと相関して変化しない。このことから、導電率センサ１０において、静電容量Ｃと抵抗Ｒとをともにできるだけ大きくして、インピーダンスＺの大きさ｜Ｚ｜を、抵抗Ｒの値に近似させて、静電容量Ｃの影響を小さくすることによって、電極２０，３０の電流Ｉから冷媒の導電率Ｊをより正確に算出することができる。
【００３５】
導電率センサ１０では、電極２０，３０の間に絶縁体４０を配置することによって、電極２０，３０が絶縁体４０を挟まずに対向する対向領域２４，２５の面積Ｓを小さく抑えるとともに、電極２０，３０の面積を大きくすることができる。これにより、静電容量Ｃを大きくしつつ、抵抗Ｒを大きくすることができる。
【００３６】
また、導電率センサ１０において、対向領域２４の流れ方向Ｆに垂直な方向の長さＬ１は、対向領域２４の流れ方向の長さＬ２よりも長い。配管７０の流路内を均一な導電率を有する冷媒が通過している場合、流路内の冷媒の導電率は、流れ方向Ｆに垂直な断面において、冷媒の導電率は均一である。しかしながら、配管７０内に既に循環している冷媒と異なる導電率を有する冷媒が配管７０に供給される場合、配管７０内で冷媒の導電率が均一にならない。特に、配管７０の周辺を流れる冷媒の速度は、配管７０の抵抗によって配管７０の中心付近と比較して小さい。このため、配管７０の径方向に見ると、既存の冷媒と新たに供給された冷媒との境界は、配管７０の中心で最も上流側に位置し、中心から配管７０の内周面に向かって下流側に傾斜している。そのため、対向領域２４の流れ方向Ｆに垂直な方向の長さＬ１、即ち、配管７０の径方向の長さＬ１を長くすることで、電極２０，３０が既存の冷媒と新たな冷媒の双方に接触した状態で冷媒の導電率を検出することができる。この結果、導電率センサ１０で検出される導電率と配管７０内の冷媒の実際の導電率との誤差を抑制することができる。
【００３７】
さらに、導電率センサ１０では、電極２０，３０は、流れ方向Ｆに平行な平板形状を有する。この構成によれば、電極２０，３０の対向面積が小さくすることなく、電極２０，３０の流れ方向Ｆに垂直方向の面積を抑えることができる。これにより、冷媒が電極２０，３０によって大きく迂回せずに済み、冷媒の圧力損失を抑制することができる。
【００３８】
さらに、絶縁体４０は、流れ方向Ｆに平行な平板形状を有する。この構成によれば、冷媒が絶縁体４０によって大きく迂回せずに済み、冷媒の圧力損失を抑制することができる。
【００３９】
なお、冷媒の導電率は、冷媒の温度に応じて変動する。導電率センサ１０では、サーミスタ６０を用いて、冷媒の温度を検出する。また、制御回路８０は、冷媒の導電率の実測値と冷媒の温度とを用いて、基準温度（例えば２０℃）のときの冷媒の導電率を算出するためのデータベースを格納している。データベースは、予め実験によって算出され、制御回路８０に格納されている。導電率センサ１０では、サーミスタ６０は、収容空間４２に配置されている。この構成によると、冷媒の温度を検出する装置を、導電率センサ１０外に取付けずに済む。
【００４０】
（第２実施例）
図５を参照して、第２実施例を説明する。図５は、図２と同様の断面を示す断面図である。導電率センサ２１０は、電極２２０，２３０と絶縁体２４０と、ホルダ２５０と、を備えている。電極２２０，２３０は、第１実施例の電極２０，電極３０と同様の構成であり、説明は省略する。絶縁体２４０は、絶縁体４０と比較して、絶縁体２４０の上流端から下流端に冷媒が通過する連通路２４３を有する。
【００４１】
ホルダ２５０では、ホルダ５０の空間５２の位置に樹脂が配置されている。その他のホルダ２５０の構成は、ホルダ５０の構成と同様である。なお、その他の導電率センサ２１０の構成は、導電率センサ１０と同様の構成であるため、説明を省略する。
【００４２】
（第３実施例）
図６を参照して、第３実施例を説明する。図６は、図２と同様の断面を示す断面図である。導電率センサ３１０は、電極３２０，３３０と絶縁体３４０と、ホルダ３５０と、を備えている。電極３２０，３３０とホルダ３５０のそれぞれは、第２実施例の電極２２０，２３０とホルダ２５０のそれぞれと同様の構成であり、説明は省略する。
【００４３】
絶縁体３４０は、上方部分３４１と下方部分３４３を有する。上方部分３４１及び下方部分３４３は、中実に形成されている。上方部分３４１の上端は、ホルダ３５０の部分３５０ａに連結されている。上方部分３４１の下方には、上方部分３４１から離間して、下方部分３４３が配置されている。下方部分３４３の下端は、ホルダ３５０の部分３５０ｂに連結されている。上方部分３４１と下方部分３４３との間には、冷媒が通過する連通路３４４が形成されている。連通路３４４は、絶縁体３４０の上流端から下流端まで延びている。その他の絶縁体３４０の構成は、絶縁体２４０の構成と同様である。なお、その他の導電率センサ３１０の構成は、導電率センサ１０と同様の構成であるため、説明を省略する。
【００４４】
なお、変形例では、図７に示すように、上方部分３４１と下方部分３４３のそれぞれに、上流端から下流端まで延びる連通路３４４ａ，３４４ｂが配置されていてもよい。なお、連通路３４４ａ，３４４ｂのいずれか一方のみが配置されていていてもよい。
【００４５】
また、図８に示すように、連通路３４４ａは、上流端から下流端の少なくとも一部において、連通路３４４と連通していてもよい。連通路３４４ｂも同様に、上流端から下流端の少なくとも一部において、連通路３４４と連通していてもよい。
【００４６】
また、図９に示すように、絶縁体３４０の上方部分３４１は、上方部分３４１の中央に収容空間３４２ａを画定してもよい。収容空間３４２ａは、上方部分３４１によって、配管７０内と遮断されていてもよい。また、収容空間３４２ａに、サーミスタ３６０が配置されていてもよい。この場合、部分３５０ａに、上流端から下流端まで延びる連通路３５２が配置されていてもよい。
【００４７】
（第４実施例）
図１０を参照して、第４実施例を説明する。図１０は、図２と同様の断面を示す断面図である。導電率センサ４１０は、電極４２０，４３０と絶縁体４４０と、ホルダ４５０と、を備えている。電極４２０，４３０のそれぞれは、第１実施例の電極２０，３０のそれぞれと同様の構成であり、説明は省略する。
【００４８】
絶縁体４４０は、平板形状を有しており、中実に形成されている。即ち、絶縁体４４０は、絶縁体４０と比較して、収容空間４２の部分に樹脂が配置されている点で異なる。その他の絶縁体４４０の構成は、絶縁体４０の構成と同様である。
【００４９】
ホルダ４５０は、第２実施例の部分２５０ａと同様の構成を有する。即ち、ホルダ４５０は、電極４２０，４３０及び絶縁体４４０の上端を保持する一方、電極４２０，４３０及び絶縁体４４０の下端を保持しない。なお、その他の導電率センサ４１０の構成は、導電率センサ１０と同様の構成であるため、説明を省略する。
【００５０】
なお、変形例では、図１１に示すように、絶縁体４４０は、絶縁体４４０の中央に収容空間４４２を画定していてもよい。収容空間４４２は、絶縁体４４０によって、配管７０内と遮断されていてもよい。また、ホルダ４５０は、空間４５２を有していてもよい。収容空間４４２には、サーミスタ６０と同様のサーミスタ４６０が配置されていてもよい。また、サーミスタ４６０の端子４６１は、収容空間４４２，空間４５２を通過して、制御回路８０と同様の制御回路４８０に接続されていてもよい。
【００５１】
あるいは、図１２に示すように、絶縁体４４０は、上流端から下流端まで延びる連通路４４３を有しているが、ホルダ４５０は、連通路を有していなくてもよい。
【００５２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００５３】
上述した実施例は、本発明を具現化した一実施例であり、本発明はこのような形態に限られない。例えば、本実施例では、液体は冷媒としたが、液体には、エンジンオイル、燃料等を用いてもよい。
【００５４】
電極２０、電極３０、絶縁体４０は、本実施例では平板状としたが、湾曲した板状であってもよいし、波打った板状であってもよい。
【００５５】
電極２０が、電極３０と絶縁体４０に対して平行となるように配置されていなくてもよい。電極３０が、絶縁体４０に対して平行となるように配置されていなくてもよい。電極２０、電極３０、絶縁体４０が、上記のような形状や配置にした場合でも、電極２０、電極３０、絶縁体４０を流れ方向Ｆに対して平行に配置することによって、冷媒が流れる際に、物体に接触することで物体から受ける抵抗を小さくすることができる。この結果、導電率センサ１０を通過する際の冷媒の圧力損失を抑制することができる。
【００５６】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成するものであり、そのうちの一つの目的を達成すること自体で技術的有用性を持つものである。
【符号の説明】
【００５７】
１０：導電率センサ、２０，３０：電極、２２，２４：対向領域、４０：絶縁体、４２：収容空間、５０：ホルダ、５２：空間、６０：サーミスタ、６１：端子、７０：配管、８０：検出回路、８２：収容空間、１００：制御装置
【図１】
2017003302.tif 000005
【図２】
2017003302.tif 000006
【図３】
2017003302.tif 000007
【図４】
2017003302.tif 000008
【図５】
2017003302.tif 000009
【図６】
2017003302.tif 000010
【図７】
2017003302.tif 000011
【図８】
2017003302.tif 000012
【図９】
2017003302.tif 000013
【図１０】
2017003302.tif 000014
【図１１】
2017003302.tif 000015
【図１２】
2017003302.tif 000016